【事件の表示】
　特願２００４−３７３９３「電子部品装着装置」拒絶査定不服審判事件〔平成１７年８月２５日出願公開、特開２００５−２２８９９２〕について、次のとおり審決する。
【結　論】
　本件審判の請求は、成り立たない。
【理　由】
１．手続の経緯・本願発明
　本願は、平成１６年２月１３日の出願であって、その請求項１〜４に係る発明は特許を受けることができないとして、平成２１年９月９日付けで拒絶査定がされたところ、平成２１年１２月１１日付けで拒絶査定不服審判の請求がなされたものである。
　そして、本願の請求項１及び２に係る発明は、平成２１年８月２１日付け、及び平成２３年１０月３日付けの手続補正により補正された明細書、特許請求の範囲及び図面の記載からみて、その特許請求の範囲の請求項１及び２に記載された事項により特定されるとおりのものであると認められるところ、その請求項１に係る発明（以下、「本願発明」という。）は次のとおりのものである。なお、平成２１年１２月１１日付けの手続補正は、当審において平成２３年７月８日付けで決定をもって却下された。
「【請求項１】
　部品吸着位置に電子部品を供給する複数の部品供給ユニットと、この部品供給ユニットから電子部品を吸着してプリント基板上に装着する吸着ノズルを有した装着ヘッドとを備えた電子部品装着装置において、電子部品を吸着しプリント基板に装着する複数の吸着ノズルを備えた装着ヘッドを昇降させるヘッド昇降装置と、前記複数の吸着ノズルのうち所定のノズルを選択する選択装置と、前記装着ヘッドに設けられ前記選択装置により選択された吸着ノズルを昇降させて前記部品供給ユニットから電子部品を吸着させ、また、前記吸着ノズルを昇降させて前記電子部品を前記プリント基板上に装着させるノズル昇降装置とを備えたことを特徴とする電子部品装着装置。」
　
２．本願出願前に日本国内において頒布され、当審において平成２３年７月８日付けで通知した拒絶理由に引用された刊行物及びその記載事項
(１)刊行物１：特開平６−１０４５９６号公報
(２)刊行物２：特開２００３−３３２７９１号公報
　
（刊行物１）
　刊行物１には、「部品装着方法および同装置」に関して、図面（特に、図１〜３を参照）とともに、下記の技術的事項が記載されている。
(ａ)「本発明は、ＩＣ等の電子部品のような小片状のチップ部品をプリント基板上の所定位置に装着するための部品装着方法および同装置に関するものである。」（第３頁第３欄第４〜７行、段落【０００１】参照）
(ｂ)「従来、吸着ノズルを有する部品装着用のヘッドユニットにより、テープフィーダー等の部品供給部からチップ部品を吸着して、位置決めされているプリント基板上に移送し、プリント基板の所定位置に装着するようにした部品装着装置は一般に知られている。」（第３頁第３欄第９〜１３行、段落【０００２】参照）
(ｃ)「図１および図２は本発明の一実施例による部品装着装置の全体構造を示している。これらの図において、基台１上には、プリント基板搬送用のコンベア２が配置され、プリント基板３が上記コンベア２上を搬送され、装着作業用ステーションの一定位置で停止されるようになっている。
　上記コンベア２の側方には、部品供給部４が配置されている。この部品供給部４は多数列の供給テープ４ａを備え、各供給テープ４ａは、それぞれ、ＩＣ、トランジスタ、コンデンサ等の小片状のチップ部品２０を等間隔に収納、保持し、リールに巻回されている。供給テープ４ａの繰り出し端４ｂにはラチェット式の送り機構が組込まれ、後記ヘッドユニット５により上記繰り出し端４ｂからチップ部品２０がピックアップされるにつれて、供給テープ４ａが間欠的に繰り出され、上記ピックアップ作業を繰返し行なうことが可能となっている。
　また、上記基台１の上方には、部品装着用のヘッドユニット５が装備され、このヘッドユニット５はＸ軸方向（コンベア２の方向）およびＹ軸方向（水平面上でＸ軸と直交する方向）に移動することができるようになっている。
　すなわち、上記基台１上には、コンベア２を横切ってＹ軸方向に延びる２本の固定レール７が所定間隔をおいて互いに平行に配置されるとともに、Ｙ軸方向の送り機構として、一方の固定レール７の近傍に、Ｙ軸サーボモータ９により回転駆動されるボールねじ軸８が配置されている。そして、ヘッドユニット５を支持するための支持部材１１が上記両固定レール７に移動自在に支持され、かつ、この支持部材１１の端部のナット部分１２が上記ボールねじ軸８に螺合し、ボールねじ軸８の回転によって上記支持部材１１がＹ軸方向に移動するようになっている。上記Ｙ軸サーボモータ９にはエンコーダからなるＹ軸用位置検出手段１０が設けられている。
　上記支持部材１１には、Ｘ軸方向に延びるガイドレール１３が設けられるとともに、Ｘ軸方向の送り機構として、上記ガイドレール１３の近傍に配置されたボールねじ軸１４と、このボールねじ軸１４を回転駆動するＸ軸サーボモータ１５とが装備されている。そして、上記ガイドレール１３にヘッドユニット５が移動自在に支持され、かつ、このヘッドユニット５に設けられたナット部分１７が上記ボールねじ軸１４に螺合し（図３参照）、ボールねじ軸１４の回転によってヘッドユニット５がＸ軸方向に移動するようになっている。上記Ｘ軸サーボモータ１５にはＸ軸用位置検出手段１６が設けられている。
　上記ヘッドユニット５には、チップ部品２０を吸着する吸着ノズル２１が昇降および回転可能に設けられている。当実施例では、図３に詳しく示すように、ヘッドユニット５が、上記ガイドレール１３に移動自在に支持される取付部材２２と、この取付部材２２に昇降可能に取り付けられたヘッド２３と、このヘッド２３に対して昇降可能で、かつＲ軸（ノズル中心軸）回りの回転が可能とされた吸着ノズル２１とを有している。そして、上記取付部材２２に、ナット部分１７が設けられるとともにヘッド昇降用サーボモータ２４が装備され、また上記ヘッド２３に、吸着ノズル昇降用サーボモータ２６および吸着ノズル回転用のＲ軸サーボモータ２８が装備されている。上記ヘッド昇降用サーボモータ２４および吸着ノズル昇降用サーボモータ２６により吸着ノズル２１の昇降駆動手段が構成され、Ｒ軸サーボモータ２８により回転駆動手段が構成されている。
　上記各サーボモータ２４，２６，２８にはそれぞれ位置検出手段２５，２７，２９が設けられている。さらに、吸着ノズル２１と部品供給部４との干渉位置を検出する干渉位置検出手段３０（図５参照）がヘッドユニット５に取付けられている。
　上記ヘッドユニット５の下端部には、光学的検知手段を構成するレーザーユニット３１が取付けられている。このレーザーユニット３１は、後述するノズル径を検出するための手段とチップ部品２０の投影幅を検出する手段とを兼ねるものであり、吸着ノズル２１を挾んで相対向するレーザー発生部（平行光線の照射部）３１ａとディテクタ（受光部）３１ｂとを有し（後記図７参照）、ディテクタ３１ｂはＣＣＤからなっている。
　また、基台１上におけるヘッドユニット５の可動範囲内の適当な位置には、ノズル交換用ステーション３４が設けられている。このノズル交換用ステーション３４は、図４に示すように、ノズルクランププレート３５と、このプレート３５に配設されて、ノズル径等の外形特徴量が相違する複数種の吸着ノズル２１を着脱可能に保持するノズル保持部３６と、ノズルの有無を判別するノズル判別センサ３７と、昇降用シリンダ３８等を備えている。そして、ノズル交換時には、ヘッドユニット５がこのノズル交換用ステーション３４に対応する位置まで移動して、両者の間で吸着ノズル２１の交換を行なうことができるようになっている。」（第４頁第６欄第４６行〜第５頁第８欄第３３行、段落【００２４】〜【００３２】参照）
(ｄ)「目的位置範囲内に達したときに、ヘッド２３が下降し（ステップＳ１４）、かつ吸着ノズル２１も下降し（ステップＳ１５）、所定下降位置で部品供給部４の供給テープ４ａからチップ部品２０が吸着され（ステップＳ１６）、それから、吸着ノズル２１が上昇し（ステップＳ１７）、かつヘッド２３も上昇する（ステップＳ１８）。」（第６頁第１０欄第１２〜１８行、段落【００４１】参照）
(ｅ)「装着位置範囲内になれば、ヘッド２３が下降し（ステップＳ３１）、かつ吸着ノズル２１も下降し（ステップＳ３２）、吸着ノズル２１の高さが目的位置範囲内になると（ステップＳ３３）、負圧がカットされる（ステップＳ３４）ことにより、チップ部品２０がプリント基板３に装着される。その後、吸着ノズル２１が上昇し、（ステップＳ３５）、かつヘッド２３も上昇する（ステップＳ３６）。」（第７頁第１１欄第２６〜３３行、段落【００５３】参照）
(ｆ)「吸着ノズル２１とこれを保持するヘッド２３がともにサーボモータ２４，２６により駆動されて昇降し、吸着時の下降（ステップＳ１４，Ｓ１５）、上昇（ステップＳ１７，Ｓ１８）、装着時の下降（ステップＳ３１，Ｓ３２）、上昇（ステップＳ３４，Ｓ３５）の各動作の速度が高められ、作業能率が一層高められる。」（第７頁第１１欄第４４〜５０行、段落【００５５】参照）
　したがって、刊行物１には、下記の発明（以下、「引用発明」という。）が記載されているものと認める。
【引用発明】
　部品吸着位置にチップ部品２０を供給する複数の部品供給部４の供給テープ４ａと、この部品供給部４の供給テープ４ａからチップ部品２０を吸着してプリント基板３上に装着する吸着ノズル２１を有したヘッド２３とを備えた電子部品装着装置において、チップ部品２０を吸着しプリント基板３に装着する吸着ノズル２１を備えたヘッド２３を昇降させるヘッド昇降駆動手段と、前記ヘッド２３に設けられた吸着ノズル２１を昇降させて前記部品供給部４の供給テープ４ａからチップ部品２０を吸着させ、また、前記吸着ノズル２１を昇降させて前記チップ部品２０を前記プリント基板３上に装着させるノズル昇降駆動手段とを備えた電子部品供給装置。
　
（刊行物２）
　刊行物２には、「電子部品装着装置」に関して、図面とともに、下記の技術的事項が記載されている。
(ｇ)「本発明は、基台に複数並設され部品吸着位置に電子部品を供給する複数の部品供給装置と、複数の吸着ノズルを備えて前記部品供給装置とプリント基板との間を移動可能な装着ヘッドとを備えた電子部品装着装置に関するものである。」（第２頁第２欄第９〜１３行、段落【０００１】参照）
(ｈ)「装着ヘッド１６について、図５及び図６に基づき詳述する。２０は第１内筒体１７Ａの上部に設けられたパルスモータ２１のロータで、前記装着ヘッド体７に固定された外筒体１８に設けられたステータ２２内側でベアリング２３を介してθ方向に回転可能に設けられる。また、２５は第２内筒体１７Ｂの下部に設けられたパルスモータ２６のロータで、前記装着ヘッド体７に固定された外筒体１８に設けられたステータ２７内側でベアリング２８を介してθ方向に回転可能に設けられる。そして、前記吸着ノズル１５は、それぞれ所定間隔を存して円周上に１２本配設されて第２内筒体１７Ｂ内に上下動可能に設けられている。」（第３頁第４欄第２２〜３３行、段落【００１２】参照）
(ｉ)「既に所定の各供給ユニット３は駆動されて部品吸着位置にて部品が取出し可能状態にあるため、またパルスモータ２１及び２６の駆動により装着ヘッド１６の第１内筒体１７Ａ及び第２内筒体１７Ｂが回転して選択された吸着ノズル１５が当該装着ヘッド１６における０時、３時、６時、９時のうちのいずれかの位置において当該部品供給ユニット３の部品取出位置上方に位置しており、駆動モータ３１により第１カム３０が所定角度回転して第２レバー４３が支軸４２を支点として揺動し、昇降体４７が下降して昇降棒６２により前記吸着ノズル１５を所定ストローク降下させ、当該部品供給ユニット３から電子部品Ｄを吸着し、更に第１カム３０が所定角度回転して第２レバー４３が揺動して前記昇降体４７が上昇すると共に当該吸着ノズル１５が上昇する。」（第５頁第８欄第３９行〜第６頁第９欄第３行、段落【００３３】参照）
　
３．対比・判断
　本願発明と引用発明とを対比すると、それぞれの有する機能からみて、引用発明の「チップ部品２０」は本願発明の「電子部品」に相当し、以下同様にして、「部品供給部４の供給テープ４ａ」は「部品供給ユニット」に、「プリント基板３」は「プリント基板」に、「吸着ノズル２１」は「吸着ノズル」に、「ヘッド２３」は「装着ヘッド」に、「ヘッド昇降駆動手段」は「ヘッド昇降装置」に、「ノズル昇降駆動手段」は「ノズル昇降装置」に、それぞれ相当するので、両者は下記の一致点、及び相違点を有する。
＜一致点＞
　部品吸着位置に電子部品を供給する複数の部品供給ユニットと、この部品供給ユニットから電子部品を吸着してプリント基板上に装着する吸着ノズルを有した装着ヘッドとを備えた電子部品装着装置において、電子部品を吸着しプリント基板に装着する吸着ノズルを備えた装着ヘッドを昇降させるヘッド昇降装置と、前記装着ヘッドに設けられた吸着ノズルを昇降させて前記部品供給ユニットから電子部品を吸着させ、また、前記吸着ノズルを昇降させて前記電子部品を前記プリント基板上に装着させるノズル昇降装置とを備えた電子部品供給装置。
（相違点）
　本願発明は、前記装着ヘッドが「複数の」吸着ノズルを備え、「前記複数の吸着ノズルのうち所定のノズルを選択する選択装置と」、「前記選択装置により選択され」た吸着ノズルをノズル昇降装置が昇降させるのに対し、引用発明は、そのような構成を具備していない点。
　そこで、上記相違点について検討する。
（相違点について）
　刊行物１には、「基台１上におけるヘッドユニット５の可動範囲内の適当な位置には、ノズル交換用ステーション３４が設けられている。このノズル交換用ステーション３４は、図４に示すように、ノズルクランププレート３５と、このプレート３５に配設されて、ノズル径等の外形特徴量が相違する複数種の吸着ノズル２１を着脱可能に保持するノズル保持部３６と、ノズルの有無を判別するノズル判別センサ３７と、昇降用シリンダ３８等を備えている。そして、ノズル交換時には、ヘッドユニット５がこのノズル交換用ステーション３４に対応する位置まで移動して、両者の間で吸着ノズル２１の交換を行なうことができるようになっている。」（上記摘記事項(ｃ)参照）と記載されている。
　引用発明及び刊行物２に記載された技術的事項は、ともに電子部品装着装置に関する技術分野に属するものであって、刊行物２には、「前記吸着ノズル１５は、それぞれ所定間隔を存して円周上に１２本配設されて第２内筒体１７Ｂ内に上下動可能に設けられている。」（上記摘記事項(ｈ)参照）、及び「パルスモータ２１及び２６の駆動により装着ヘッド１６の第１内筒体１７Ａ及び第２内筒体１７Ｂが回転して選択された吸着ノズル１５が当該装着ヘッド１６における０時、３時、６時、９時のうちのいずれかの位置において当該部品供給ユニット３の部品取出位置上方に位置しており、駆動モータ３１により第１カム３０が所定角度回転して第２レバー４３が支軸４２を支点として揺動し、昇降体４７が下降して昇降棒６２により前記吸着ノズル１５を所定ストローク降下させ、当該部品供給ユニット３から電子部品Ｄを吸着し、更に第１カム３０が所定角度回転して第２レバー４３が揺動して前記昇降体４７が上昇すると共に当該吸着ノズル１５が上昇する。」（上記摘記事項(ｉ)参照）と記載されている。
　上記各記載からみて、刊行物２には、装着ヘッド１６が複数の吸着ノズル１５を備え、複数の吸着ノズル１５のうち所定のノズル１５を選択する選択装置と、選択装置により選択された吸着ノズル１５を昇降させる構成が記載又は示唆されている。
　してみれば、引用発明において、吸着ノズル２１を交換するために、上記刊行物２に記載された発明を適用し、ヘッド２３が複数の吸着ノズル２１を備え、複数の吸着ノズル２１のうち所定のノズル２１を選択する選択装置と、選択装置により選択された吸着ノズル２１をノズル昇降駆動手段（ノズル昇降装置）が昇降させて、上記相違点に係る本願発明の構成とすることは、技術的に格別の困難性を有することなく当業者が容易に想到できるものであって、これを妨げる格別の事情は見出せない。
　本願発明が奏する効果についてみても、引用発明、及び刊行物２に記載された技術手段が奏するそれぞれの効果の総和以上の格別顕著な効果を奏するものとは認められない。
　したがって、本願発明は、刊行物１及び２に記載された発明に基づいて当業者が容易に発明をすることができたものである。
　
　なお、審判請求人は、当審における拒絶理由に対する平成２３年１０月３日付けの意見書において、「引用文献１（注：本審決の「刊行物１」に対応する。）には、『チップ部品を吸着するとき、或いはチップ部品を装着するときに、吸着ノズル昇降用サーボモータが駆動する点』については記載も示唆もされていないことは明らかであります。」（（ハ）の項を参照）と主張している。
　しかしながら、本願発明は、「チップ部品を吸着するとき、或いはチップ部品を装着するときに、吸着ノズル昇降用サーボモータが駆動する」ことを特定していないし、審判請求人の主張は、本願の特許請求の範囲の記載に基づかない主張である。
　仮に、審判請求人の主張が、本願の特許請求の範囲の記載に基づくものであるとしても、刊行物１には、「吸着ノズル２１とこれを保持するヘッド２３がともにサーボモータ２４，２６により駆動されて昇降し、吸着時の下降（ステップＳ１４，Ｓ１５）、上昇（ステップＳ１７，Ｓ１８）、装着時の下降（ステップＳ３１，Ｓ３２）、上昇（ステップＳ３４，Ｓ３５）の各動作の速度が高められ、作業能率が一層高められる。」（上記摘記事項(ｆ)参照）と記載され、図８には、部品吸、装着具体的手順を示すフローチャートが記載されていることなどからみて、あえて、動作速度を高め、作業能率を一層高める必要が無いような場合には、「チップ部品２０を吸着するとき、或いはチップ部品２０を装着するときに、吸着ノズル昇降用サーボモータ２６」のみを駆動することが記載又は示唆されていることは明らかである。
　そして、上記（相違点について）において述べたように、本願発明は、刊行物１及び２に記載された発明から当業者が容易に想到し得たものであるところ、本願発明が奏する作用効果は、従前知られていた構成が奏する作用効果を併せたものにすぎず、本願発明の構成を備えることによって、本願発明が、従前知られていた構成が奏する作用効果を併せたものとは異なる、相乗的で予想外の作用効果を奏するものとは認められないので、審判請求人の主張は採用することができない。
　
４．むすび
　結局、本願の請求項１に係る発明（本願発明）は、その出願前日本国内において頒布された刊行物１及び２に記載された発明に基づいて、その出願前にその発明の属する技術の分野における通常の知識を有する者が容易に発明をすることができたものであるから、特許法第２９条第２項の規定により特許を受けることができない。
　したがって、本願の請求項２に係る発明について検討をするまでもなく、本願は拒絶されるべきものである。
　よって、結論のとおり審決する。